(57)【要約】【課題】フォロア軸受たるカムフォロアの外輪に接触して潤滑を行う潤滑装置が、外輪の転動する相手側転動面に接触する潤滑部を有し、寿命とクリーニング性との向上を図ることができ、かつ加工工数も減少できるフォロア軸受を提供すること。【解決手段】カムフォロアの外輪に少なくとも２箇所で接触潤滑を行う潤滑装置に、外輪が転動する相手側転動面に接触する潤滑部を形成し、かつ潤滑装置の支持体に、該相手側転動面の払拭用のスクレイパーを設けた。【選択図】図１
2004270876.tif 000002
【特許請求の範囲】
【請求項１】
外輪が組付けられている軸付きカムフォロア或はローラフォロアと称されるフォロア軸受において、フォロア軸受の外輪に少なくとも２箇所で接触して潤滑を行う潤滑部材を具備する潤滑装置と、該潤滑装置を外輪外周面に向って当接支持する支持部材とが、フォロア軸受の軸に軸支されていることを特徴とする潤滑装置を備えたフォロア軸受。
【請求項２】
潤滑部材に、フォロア軸受の外輪が転動する相手側転動面に当接する接触部が形成されており、潤滑装置の支持部材の、前記接触部近傍の相手側転動面に対して微小間隔を保持して対峙する位置にスクレイパーが形成されている請求項１に記載の潤滑装置を備えたフォロア軸受。
【請求項３】
潤滑装置の潤滑部材が、潤滑油を含有した多孔質構造の焼結樹脂部材であることを特徴とする請求項１または請求項２に記載の潤滑装置を備えたフォロア軸受。
【請求項４】
潤滑装置の潤滑部材は、固形潤滑剤であることを特徴とする請求項１または請求項２に記載の潤滑装置を備えたフォロア軸受。
【発明の詳細な説明】
【０００１】
【発明の属する技術分野】
本発明は、摺動トラック面に接触させて使用する潤滑装置を備えたフォロア軸受の改良に関する。
【０００２】
【従来の技術】
従来例のカムフォロア或はローラフォロアと称されるフォロア軸受の外輪に潤滑油を供給する構造は、外輪外周面とカバーとにより形成された空隙たる潤滑油溜りが、常に潤滑油を保持し、かつ塗布する構造である。
また、フォロア軸受の外輪外周面とカバーとの間の空隙にフェルト等の吸油性軟質材を装着することにより、潤滑油のフォロア軸受の外輪外周面に対する塗布ができ、また該カバーにより潤滑油の飛散の抑制が可能な構造であった。（例えば特許文献１参照）
【０００３】
【特許文献１】
特開平９−８９０７８号公報（第２頁、第３頁、図１Ａ、１−Ｂ、図３）
【０００４】
【発明が解決しようとする課題】
しかしながら、前記特開平９−８９０７８号公報に示されるものは、外輪外周面とカバーとにより形成された空隙たる潤滑油溜りに吸油性軟質材料たるフェルトを装着して給油する構造であり、フェルトと外輪外周面との接触状態により摺動抵抗が変化し、場合によっては摺動抵抗が大きくなるという問題がある。
【０００５】
またフォロア軸受の外周面を覆うカバーが、フォロア軸受の軸の端面部分またはカム従動節本体に固定されるものであり、従って前記軸の端面部分または該軸のカバー取付部の加工を必要とし、加工工程が増加する等の問題もある。
【０００６】
またフォロア軸受の軸の端面部分に、カバーを固定するための該軸の端面部分の利用、例えば潤滑油の供給孔の形成などが制限される問題がある。
【０００７】
このため、本発明は、外輪外周面の転動時に、潤滑部材との接触による摺動抵抗が少なく、しかも焼付防止が可能で、フォロア軸受の寿命の向上が図られ、かつ潤滑油の飛散もなく、クリーン性を向上させることができ、しかも加工工数を減少できると共に、フォロア軸受の軸の軸端の利用も可能な潤滑装置を備えるフォロア軸受を提供することを課題としている。
【０００８】
【課題を解決するための手段】
前記課題を解決するために、請求項１の発明では、外輪が組付けられている軸付きカムフォロア或はローラフォロアと称されるフォロア軸受において、フォロア軸受の外輪に少なくとも２箇所で接触して潤滑を行う潤滑部材を具備する潤滑装置と、該潤滑装置を外輪外周面に向って当接支持する支持部材とが、フォロア軸受の軸に軸支されている構成とした。
【０００９】
請求項２の発明では、請求項１の発明に、潤滑部材に、フォロア軸受の外輪が転動する相手側転動面に当接する接触部が形成されており、かつ潤滑部材の支持部材に、前記接触部近傍の相手側転動面に対して微小間隔を保持して対峙する位置にスクレイパーを形成した構成を付加した。
【００１０】
請求項３の発明では、請求項１または請求項２の発明に、潤滑装置の潤滑部材が、潤滑油を含有した多孔質構造の焼結樹脂部材、及び潤滑油の再補給を可能とした多孔質構造の焼結樹脂部材のうちから選ばれた潤滑部材であるという構成を付加した。
【００１１】
請求項４の発明では、請求項１および請求項２の発明に潤滑装置の潤滑部材が固形潤滑剤であるという構成を付加した。
【００１２】
【発明の実施の形態】
図１ないし図４は請求項１および請求項２の各発明を併せ適用した潤滑装置を備えたフォロア軸受の第１の実施例を示すもので、フォロア軸受たる軸付きカムフォロア１の構成の概要を示しており、厚肉の外輪４が組付けられている軸付きカムフォロア１に、潤滑部材５が具備された潤滑装置２が装着され、かつ該潤滑装置２を、外輪の外周面６に向って支持部材３が若干の押圧力を有して当接支持した構成とされている。
【００１３】
次に第１の実施例の軸付きカムフォロア１の詳細を、図２（Ａ）（正面図）、図２（Ｂ）（縦断面図）、図２（Ｃ）（側面図）、図２（Ｄ）（支持体の背面図）について説明する。
【００１４】
図２（Ｂ）および図２（Ｃ）において、軸付きカムフォロア１の軸７の軌道部８は、ニードルローラたる転動体群９が転動するための軌道面を形成しており、該転動体群９の外側に組み込まれた外輪４が、軸７に対して転動体群９を介して回動自在に支承されている。
【００１５】
軸７の端部には、軸取付ねじ部１０が形成されており、図２（Ｂ）に一部破断面として表示されている従動節１１に穿設された軸孔１２に軸７が挿着され、ナット１３により軸取付部１４で前記従動節１１に固着されると共に、後述される支持部材３の端面材２１の端部が、同様に軸７の軸取付部１４に軸支されて共締めされている。この時軸７の端面に穿設された六角孔４０はナット１３による締付時の締め返しに供せられる。
【００１６】
図２（Ｃ）の半部を断面とした側面図に示される符号１５は、軸７と一体的なフランジ部、符号１６は軸７に組み込まれた側板で、両者共に外輪４の転動時における軸方向の位置決め用とされている。
【００１７】
図１及び図２（Ａ）に示されるように、潤滑装置２の潤滑部材５は、フォロア軸受たる軸付きカムフォロア１の外輪４の外周面６に少なくとも２箇所で接触して潤滑を行うと共に、一方で外輪４が接触し転動する相手側転動面１７にも２箇所で接触し、潤滑を行う。従って該潤滑装置２は、前記軸付きカムフォロア１の外輪４、並びに相手側転動面１７との両者に同時に接触、潤滑を行うもので、図２（Ａ）に示されるように後述される支持部材３の保持部２２に装着されている。
【００１８】
図３は前記潤滑部材５を示しており、該潤滑部材５は、前記保持部２２に図３に示す背部５ｃ部分で着脱自在に装着されており、上端部５ａは、外輪４の図２（Ａ）、（Ｂ）に示す相手側転動面１７に接触して潤滑を行う部分とされており、図示例では、縦断面半円形状とされ、接触による摩擦係数を少なくし、必要以上の摩擦力を与えることなく相手側転動面１７への潤滑を円滑に行いうる形状とされ、また外輪４に接触する隅部５ｂは円弧面に形成され、外輪の外周面６に対する回転摩擦に適合する円弧面とされ、前記背部５ｃは、支持部材３の前記保持部２２に適合する形状とされている。なお、潤滑部材５の形状は、同一機能を有する限り、図示構造に限定されるものではない。
支持部材３は、図４（Ａ）、図４（Ｂ）、図４（Ｃ）に示されるように弾性材たる板材がＬ字形に折曲され、端面部材（２１）が形成されており、該端面部材（２１）は端部の孔２０により、軸付きカムフォロア１の軸７に軸支されている。支持部材３は正面側を示す図４（Ａ）及び、図２（Ａ）に示されるごとく、外輪４を背面及び上部両側２箇所で覆う形状とされている。
【００１９】
また、前記支持部材３は、弾性を有する板材で形成されており、若干の押圧力を有して外輪の外周面６に向って潤滑部材５を確実に保持すると共に支持部材３のバネ作用により、潤滑部材（５）の接触部分に若干加圧作用をあたえうる設定をすることにより、軸付きカムフォロア１の外輪４の外周面６及び前記相手側転動面１７に、夫々適合する設定摺動抵抗での潤滑が円滑に行われる。
【００２０】
また支持部材３の上面端部には、軸付きカムフォロア１の外輪４が転動する相手側転動面１７に対応する位置に潤滑部材（５）を装着できる保持部２２が配設されている。即ち図３に示す潤滑部材５の上端部５ａの頂面が前記相手側転動面１７の摺動面に必要最小限の摺動抵抗で当接するよう保持されている。また前記上端部５ａに隣接して保持部２２の上面から、符号２４が付された突起片が立設され、該突起片２４の頂部が相手側転動面１７に対して微小間隔を保持して対峙する位置を占めており、潤滑部材５の上端部５ａに対応するスクレイパーとされ、前記相手側転動面１７の塵埃等の除去に供せられている。
【００２１】
潤滑装置２の支持部材３は、成形が容易な弾性を保有する材料であれば、金属のほか合成樹脂製であってもよい。
【００２２】
第１の実施例に示す潤滑部材５は、交換可能であれば、フェルト等の油吸収性軟質材料とし、潤滑油を含ませる構成としてもよい。
【００２３】
図５ないし図８は第２の実施例を示し、図５は第２の実施例のフォロア軸受たる軸付きカムフォロアの構成の概要を示しており、主たる使用目的、機能、作用において前記第１実施例と同一の部材は、同一名称、同一符号で表示している。符号１は、第１の実施例のものと同一構造のものを使用したフォロア軸受たる軸付きカムフォロア、２５は潤滑装置、２６は潤滑部材、２７は潤滑装置２５を支持する支持部材、４は軸付きカムフォロア１の厚肉の外輪、６は外輪４の外周面、１５はフランジ部、４０は軸取付用六角穴であり、符号３１は、後述される空隙部分を示し、潤滑装置２５の潤滑部材２６と、外輪外周面６とが接触していない部分であって潤滑油の油溜りとされている。
【００２４】
第２の実施例を示す詳細図である図６（Ａ）、図６（Ｂ）、図６（Ｃ）において、軸付きカムフォロア１の外輪４に、上部の左右２箇所及び中心部直下１箇所の計３箇所で接触して潤滑を行う潤滑部材２６を具備する潤滑装置２５と、該装置２５を支持し軸付きカムフォロア１に軸支されている支持部材２７の主たる構成部分について説明する。
【００２５】
図６（Ａ）は、軸付きカムフォロア１の縦断面であり、該カムフォロア１の軸７の軌道部８はニードルローラたる転動体群９が転動するための軌道面を形成しており、転動体群９の外周に組み込まれた外輪４は、軸７に対して転動体群９を介して回動自在に支承されている。
【００２６】
軸７の端部には、軸取付ねじ部１０が形成されており、破断面として表わす従動節１１に穿設された軸孔１２に軸７が挿入され、ナット１３で軸取付部１４が従動節１１に固着されていると共に、後述される支持部材２７の背面板３０が軸支され共締めされている。
【００２７】
図６（Ａ）において、符号１５は軸７と一体的なフランジ部、符号１６は軸７に組み込まれた側板で、外輪４の転動時における軸方向位置決め用とされている。
【００２８】
図５及び図６（Ａ）、（Ｂ）、（Ｃ）に示されるように、潤滑装置２５の潤滑部材２６は、軸付きカムフォロア１の外輪４の外周面６に対して少なくとも３箇所の潤滑接触部１８、１８、１９において接触すると共に、外輪４の外周面６が接触し転動する相手側転動面１７にも凸部たる接触部２８、２８が接触して潤滑する。従って前記カムフォロア１の外輪４と相手側転動面１７との両者の潤滑を同時に行う。
【００２９】
前記潤滑部材２６は、図７（Ａ）、（Ｂ）に示されるごとく、外径の両側面が垂直面をなし、下面が水平面をなし、上部の２箇所に外輪４の外周面６に対する潤滑接触部１８、１８及び相手側転動面１７に接触する接触部２８、２８が形成され、下面には１箇所の潤滑接触部１９が形成され、この、潤滑接触部１８、１８と潤滑接触部１９とを除く潤滑部材２６の内周面は、外輪４の外周面６との間に空隙部分３１、３１を形成する凹陥部とされて潤滑油の油溜りとされている。なお、図６（Ａ）に示すごとく、軸取付ねじ部１０の端面の給油口３７から軸７の軌道部８に通ずる潤滑油供給路３８が穿設されている。なお、潤滑部材２６は、請求項３の発明により、多孔質構造の焼結樹脂部材とされてもよく、この潤滑部材２６は、特開平１０−２０５５３４号公報に記載されているごとく高密度ポリエチレン樹脂の微粒子、例えば、細粒径３０μｍで、粗粒径が２５０〜３００μｍの粉末を、成形型に充填し、加圧加熱成形して作製したオープンポアから成る多孔質の焼結樹脂部材で作製されている。潤滑プレートの多孔質の焼結樹脂部材の空間率は、例えば、４０〜５０％のものを使用でき、上記の多孔質の焼結樹脂部材を、潤滑油であるタービン油等に浸漬し、潤滑油を多孔部に含浸させたものであり、潤滑油の補給も可能である。
【００３０】
また潤滑部材２６は、請求項４の発明により、固形潤滑剤とされてもよく、この場合の潤滑部材２６は、特開２００１−２０８０５７号公報に一例として記載されているごとく、粉末樹脂として、超高分子量ポリエチレンパウダ（例えば、三井石油化学株式会社製のミペロン（登録商標）ＸＭ−２２０）と、潤滑油として、ＦＢＫオイル（タービン油）（ＲＯ＃１００）とを準備し、両者を重量比で３０：７０の割合で混合し、得られた液状混合物を成形型に注入し、この成形型を気密箱に配置して箱内圧を下げて脱泡し、成形型を１５０℃で１０分以上加熱して混合液を固形化したのち、放熱後に成形型から脱型し、仕上げ成形することにより、固形潤滑剤とされたものである。
【００３１】
図８（Ａ）、（Ｂ）、（Ｃ）に示すものは、前記図７（Ａ）、（Ｂ）に示す潤滑部材２６を支持する支持部材２７を示しており、図８（Ｂ）に示す背面板（３０）に開設された図８（Ａ）に示す孔３９により、支持部材２７が軸７に軸支され、背面板３０には図８（Ａ）、（Ｂ）に示すごとく正面側に向って底面板３３が折曲形成されており、前記潤滑部材２６を着脱自在に載置できるように構成されており、該底面板３３の前縁の任意の２箇所に小片３６が上向きに折曲形成され、前記背面板３０と小片３６とにより潤滑部材２６を安定保持できるように構成されている。
【００３２】
また底面板３３の両側から上方へ折曲された折曲片３３Ａ、３３Ｂの上部には、潤滑部材２６を上方から保持する保持部３４が形成され、該保持部３４の先端部に図６（Ｂ）に示すように、前記相手側転動面１７に近接し、該面１７に対し微小間隔を保持して上端面が位置させられた突起片がスクレイパー３５として折曲形成され、前記転動面１７の塵埃除去に供せられている。
【００３３】
図９に示す潤滑装置を備えた軸付きカムフォロアは、図５に示す第２実施例の変形例であり、その基本構成は第２実施例と同一であり、その作用も同一であるが、潤滑部材４１が縦断面で欠円形状であり、該潤滑部材４１を保持する支持部材４２も同様の欠円形状とされている点で構造上の差を有する。従って図９において、第２実施例と同一作用、同一機能の部材については同一符合を用いて説明する。
【００３４】
図９に示す潤滑装置２９は、図５、図６（Ｂ）に示される第２の実施例の潤滑装置２５の変形例であり、外輪４の外周面６に接触して潤滑を行うもので、外輪４に対して上部の２箇所の接触部１８、１８、下部の１箇所の接触部１９で接触して潤滑を行い、相手側転動面１７に対応する潤滑面とされる接触部２８、２８が上部の上面に配設されており、この接触部２８、２８の各背面には、相手側転動面に近接してスクレイパー３５が形成されている。これ等の接触部１８、１８、１９、２８、２８及びスクレイパー３５の構成も、作用も、機能も、図５に示す実施例のものと同一であるが、全体の外形形状が略欠円形状であり、外観が良く、角形に比し占有空間が狭く、取付上のスペースを狭くしうるものである。
【００３５】
図１０（Ａ）、（Ｂ）は、第３の実施例を示すものでフォロア軸受たるローラフォロア４３の構成の概要を示している。
この実施例は、第２の実施例の軸付きカムフォロア１をローラフォロア４３に組替えた構造のものであり、図１０では図示が省略されているが、第２の実施例の図５、図６（Ｂ）に示される潤滑装置２５、支持部材２７、潤滑部材２６は、第２の実施例のものと同一の部材を適用している。従って主たる使用目的、機能、作用において第２の実施例と同一の部材は同一名称、同一符号で表示しており、符号４３はローラフォロア、４４は外輪、４５は外輪外周面、３５はスクレイパーである。
【００３６】
即ち図１０（Ａ）、（Ｂ）に示すローラフォロア４３の外輪４４に対する潤滑については、図６（Ｂ）に示す第２の実施例の潤滑装置２５と同一形状、同一作用のものを適用する。
即ち、潤滑装置２５は外輪４４の外周面４５に対して潤滑を行うもので、外輪４４の上部の２箇所の潤滑接触部１８、１８と下部の１箇所の潤滑接触部１９により接触して潤滑を行う。また前記相手側転動面１７に対応して接触部２８、２８が配設されており、該接触部２８、２８の接触により潤滑が行われ、また該接触部２８、２８の各背面には相手側転動面１７に近接してスクレイパー３５が形成されている。これ等の潤滑接触部１８、１８、１９、接触部２８、２８及びスクレイパー３５の構成、作用も、図５、図６（Ｂ）に示す実施例のものと同一のものである。
従って、該潤滑部材２６を具備している潤滑装置２５は、支持部材２７に支承されると共に支持部材２７の背面板３０でローラフォロア４３の軸４６に軸支されている。
図１０（Ａ）に示すローラフォロア４３の縦断面において、ローラフォロア４３の軸４６に嵌入された内輪４７には、ローラフォロアたる転動体群４８が転動するための軌道面５６が形成されており、転動体群４８の外周に組込まれた外輪４４にも軌道面５９が形成されており、転動体群４８を介して軸４６に対して回動自在に支承されている。図１０（Ａ）中符号５４は転動体群４８の保持器である。
【００３７】
軸４６の転動体群４８側の端部には軸４６と一体にフランジ部６０が形成され、他の端部には、軸取付ねじ部４９が形成されており、従動節１１に穿設された孔５０に軸４６が挿入され、ナット１３で固着されていると共に、図１０（Ａ）、（Ｂ）に示されるように支持部材２７の背面板３０が軸支され共締めされている。
【００３８】
また符号５１は転動体群４８の両側において軸４６に組込まれた側板で、軸４６の端部に形成されたフランジ部６０と共に外輪４４の転動時における軸方向の位置決め用とされている。
【００３９】
図１１は、請求項４の発明を、図１０（Ａ）に示すローラフォロア４３における転動体群４８が配設される外輪４４と内輪４７との間の該転動体群４８の転動部位に、潤滑剤として組み込んだ実施の一例を、図１０（Ａ）中のＸ−Ｘ線断面位置に相当する軸４６の軸心と直交する縦断面とし示している。
【００４０】
図１１において、軸４６に内輪４７が嵌着され、内輪４７と外輪４４との間に転動体群４８が配列され、内輪４７と外輪４４との間に転動体群４８が転動する軌道面５６、５９が形成され、外輪４４の外周面４５が相手側転動面１７に沿って転動する構造とされている。
【００４１】
図１１において転動体群４８と保持器５４とは、内輪４７と外輪４４との間において、転動体群４８の転動面が露出された状態で固形潤滑剤５５により覆われている。
【００４２】
前記転動体群４８と保持器５４及び固形潤滑剤５５とは、一体に組み立てられ、固形潤滑剤５５は内輪４７の軌道面５６と外輪４４の軌道面５９と、転動体群４８と保持器５４との間の間隙部分に、充填された構造で一体成形されている。前記固形潤滑剤５５は、ローラフォロア４３に限らず、既述のカムフォロアにも適用されることは勿論である。
【００４３】
この請求項４の発明に係る固形潤滑剤５５を用いた場合、転動体群４８の回転に伴い固形潤滑剤５５から滲み出た潤滑油が徐々に軌道面と転動体群４８との接触部分に供給されるので、内輪４７と外輪４４との間の潤滑性能を長期に亘って維持できる。
また固形潤滑部材５５は、前記軌道面５６の転動体群４８と保持器５４の隙間を塞ぐ形状に成形されるので、塵埃等の異物の侵入やある程度の水分の浸入を防止するシールとしての働きも奏する。
【００４４】
【発明の効果】
請求項１に記載される発明によると、軸付きカムフォロア或はローラフォロアと称するフォロア軸受の外輪に少なくとも２箇所で接触して潤滑を行う潤滑部材を具備する潤滑装置と、該潤滑装置を前記フォロア軸受の外輪の外周面に向って当接支持する支持部材とが前記フォロア軸受の軸に軸支されている構成であるから、外輪の転動に伴って、潤滑装置より適量の潤滑油が潤滑部に対して供給され、かつ鋼板等弾性を有する材料を使用する支持部材のばね効果により接触部が押圧され所定の接触圧が付与でき、接触しての潤滑作用により、より効果的な潤滑油の供給ができるので外輪外周面の転動による発熱や焼付きなどを良好に防止でき、接触部の損耗を防ぎ、寿命を向上させる効果をもたらし、かつ潤滑油の飛散を低減させることができ、クリーン性を向上させる効果を奏する。
【００４５】
潤滑部材は、外輪外周面と少なくとも２箇所で接触するので、外輪外周面と摺動部材たる潤滑部材との接触部分が少ないので摺動抵抗を抑えることができる効果がある。
【００４６】
また支持部材における潤滑部材の装着部分が外輪の外周面に対して位置決めされているので、潤滑部材の接触部分が正確に位置決めされ、かつ固着されて接触するので、接触部分の寸法管理が可能となり、より効果的に軌道面に潤滑油を供給でき、摺動抵抗を抑えることができる効果がある。また支持体を軸と共締めして固定できるから取付のための加工や部品を必要としない効果を有する。更には、フォロア軸受の外周域、軸端等に潤滑油溜り形成のためのカバー等が全く不要となるので、その加工工程を不必要とし、グリースニップルの取付、集中給油管の取付け等軸端の利用も可能とする等の付帯的効果も有する。
【００４７】
請求項２に記載される発明によると、潤滑部材に、フォロア軸受の外輪が転動する相手側転動面に当接する接触部が形成されており、潤滑装置の支持部材に前記接触部近傍の相手側転動面に対して微小間隔を保持して対峙する位置を占めるようにスクレイパーが形成されているので、潤滑装置の潤滑部材は相手側転動面にも接触し、相手側転動面により効果的に潤滑油を供給でき、摺動抵抗の減少、接触部の損耗防止等をより向上させうる効果がある。
【００４８】
更に、前記相手側転動面に接触する潤滑部材の接触部付近に配設されたスクレイパーにより、転動面の塵埃等を除去できるので、転動面の保護及び前述の効果のより一層の向上を図りうる効果がある。
【００４９】
請求項３に記載される発明によれば、軸付きカムフォロア或はローラフォロアと称するフォロア軸受の外輪外周面と潤滑部材との間には、上部２箇所と下部１箇所の接触潤滑部が配置されるのみで、接触部以外の部分には空隙部分たる油溜り部が軸心に沿って形成されているという構成であるから、外輪外周面と潤滑部材との間に形成された空隙部分の存在により摺動抵抗の減少を図ることができる効果を有している。
【００５０】
請求項３に記載される発明によると、潤滑装置の潤滑部材は、潤滑油を含有した多孔質構造及び潤滑油の再補給を可能とする多孔質構造の焼結樹脂部材で構成されているから、潤滑部材としての成形が容易であり、潤滑部材の交換が可能で取り扱いが容易であるという効果を有し、潤滑油供給系路が不要となり、フォロア軸受の構造を簡単としうる効果も奏する。
【００５１】
潤滑部材は、潤滑油を含有した多孔質構造の焼結樹脂部材であり、フォロア軸受の使用条件に対応した各種の潤滑油の選択、含浸、使用が可能であり、再含浸も可能となり、１組のフォロア軸受を継続して使用可能とする効果も有する。
【００５２】
請求項４の発明によると、潤滑部材が固形潤滑剤であり、該潤滑部材の交換のみにより、フォロア軸受の長期間の連続稼動を可能とする効果を奏し、更には潤滑油供給回路の形成が全く不要であるため、フォロア軸受の構造の簡略化、小型化を図りうる効果も奏する。
【図面の簡単な説明】
【図１】潤滑装置を備えたフォロア軸受たる軸付きカムフォロアの第１の実施例の斜視図である。
【図２】図１に示すものの正面、背面、断面を示す図である。
【図３】図１に示されるものの潤滑部材の斜視図である。
【図４】図１に示されるものの支持部材の正面、背面、側面を示す図である。
【図５】潤滑装置を備えた軸付きカムフォロアの第２の実施例の斜視図である。
【図６】図５に示すものの断面、正面、側面を示す図である。
【図７】図５に示されるものの潤滑部材の正面、側面を示す図である。
【図８】図５に示されるものの支持部材の正面、側面、平面を示す図である。
【図９】潤滑装置を備えた軸付きカムフォロアの別の実施例の正面図である。
【図１０】潤滑装置を備えたローラフォロアの第３の実施例の断面図、正面図である。
【図１１】請求項４の発明を適用したローラフォロアの実施例における図１０（Ａ）中のＸ−Ｘ線断面位置に相当する縦断面図である。
【符号の説明】
１  カムフォロア
２、２５  潤滑装置
３、２７  支持部材
４、４４  外輪
５、２６、４１  潤滑部材
６、４５  外輪外周面
１７  相手側転動面
１８、１９  潤滑接触部
２４、３５  スクレイパー
２８  接触部
２９  潤滑装置
３１  空隙部分
４３  ローラフォロア
４７  内輪
５５  固形潤滑剤
【図１】
2004270876.tif 000003
【図２】
2004270876.tif 000004
【図３】
2004270876.tif 000005
【図４】
2004270876.tif 000006
【図５】
2004270876.tif 000007
【図６】
2004270876.tif 000008
【図７】
2004270876.tif 000009
【図８】
2004270876.tif 000010
【図９】
2004270876.tif 000011
【図１０】
2004270876.tif 000012
【図１１】
2004270876.tif 000013